(57)【特許請求の範囲】
【請求項１】
本体と、前記本体天面に設け被加熱物を載置するトッププレートと、前記被加熱物を加熱する加熱部と、前記被加熱物の温度を検知するための温度検知手段と、前記加熱部に対応して設けられ、前記加熱部の火力を入力する火力アップキー及び火力ダウンキー、加熱時間を入力するタイマ時間設定キー、電源投入後加熱を行っていない状態である初期モードで押下されると使用者が前記加熱時間及び前記火力を設定するための設定入力状態に移行する加熱条件設定キー並びに加熱を開始する加熱入切キーを設けた操作部と、前記温度検知手段により沸騰を検知する沸騰検知手段と、前記設定入力状態において設定された前記加熱時間及び前記設定入力状態において設定された前記火力を表示する表示部と、を備え、前記設定入力状態において設定された前記加熱時間及び前記設定入力状態において設定された前記火力が前記表示部に表示された状態で前記加熱入切キーが押下されて加熱開始されると、沸騰を検知した後前記設定入力状態において前記表示部に表示された前記火力で加熱を継続しかつ沸騰を検知してから前記設定入力状態において前記表示部に表示された前記加熱時間が経過すると加熱を停止することを特徴とする加熱調理器。
【請求項２】
設定入力状態において表示部に表示された加熱時間及び前記設定入力状態において前記表示部に表示された火力を記憶する記憶手段と、操作部に設けられ、前記記憶手段に記憶された前記加熱時間及び前記記憶手段に記憶された火力を表示部に表示するためのレシピキーと、を備え、前記設定入力状態において前記表示部に表示された前記加熱時間及び前記設定入力状態において前記表示部に表示された火力を前記記憶手段に記憶すること並びに前記設定入力状態において前記表示部に表示された前記加熱時間及び前記設定入力状態において前記表示部に表示された火力を前記記憶手段から消去することができるようにした請求項１に記載の加熱調理器。
【請求項３】
記憶手段は、設定入力状態において表示部に表示された加熱時間及び火力を複数組記憶できると共に、レシピキーを押下する毎に前記記憶手段に記憶した前記加熱時間及び前記火力を前記表示部に順次表示する請求項２に記載の加熱調理器。
【発明の詳細な説明】
【技術分野】
【０００１】
本発明は、特にキッチンなどのキャビネットに組み込んで使用するインバータによる誘導加熱手段および電気抵抗発熱式加熱手段を有した一般家庭用の加熱調理器に関するものである。
【背景技術】
【０００２】
従来、この種の加熱調理器は、図８に示すように、本体天面に配する操作キーと本体側面に配する操作キーを併せ持つ構成とするものである（例えば、特許文献１参照）。
【０００３】
本体２０を使用する場合は、鍋（図示せず）を加熱部２１に載置した後、電源スイッチ２４により電源をＯＮにし、次いで天面操作部２３の加熱入切キーを押下することにより、誘導加熱コイル２２が通電され加熱が開始される。このとき、例えば加熱時間を設定したい場合にはタイマキーにより加熱時間を設定し、所定時間後通電をオフにする構成である。
【特許文献１】特開平１１−１３２４７０号公報（第９頁、第８図）
【発明の開示】
【発明が解決しようとする課題】
【０００４】
しかしながら、前記従来の構成では、タイマキーにより加熱時間のみ設定する構成であることから、設定時間経過後の加熱通電オフまでの間、火力は一定のままであるという課題を有していた。
【０００５】
本発明は、前記従来技術の課題を解決するもので、煮物などの調理時において、沸騰検知後の加熱時間と火力レベル、または加熱時間と温度を加熱条件設定手段として任意に設定できるようにすることで、沸騰後に任意の時間で調理を継続したい場合など、使用者の好みに応じた時間に対する火力レベルで調理を可能にすることができる加熱調理器を提供することを目的とする。
【課題を解決するための手段】
【０００６】
前記従来の課題を解決するために、本発明の加熱調理器は、本体と、前記本体天面に設け被加熱物を載置するトッププレートと、前記被加熱物を加熱する加熱部と、前記被加熱物の温度を検知するための温度検知手段と、前記加熱部に対応して設けられ、前記加熱部の火力を入力する火力アップキー及び火力ダウンキー、加熱時間を入力するタイマ時間設定キー、電源投入後加熱を行っていない状態である初期モードで押下されると使用者が前記加熱時間及び前記火力を設定するための設定入力状態に移行する加熱条件設定キー並びに加熱を開始する加熱入切キーを設けた操作部と、前記温度検知手段により沸騰を検知する沸騰検知手段と、前記設定入力状態において設定された前記加熱時間及び前記設定入力状態において設定された前記火力を表示する表示部と、を備え、前記設定入力状態において設定された前記加熱時間及び前記設定入力状態において設定された前記火力が前記表示部に表示された状態で前記加熱入切キーが押下されて加熱開始されると、沸騰を検知した後前記設定入力状態において前記表示部に表示された前記火力で加熱を継続しかつ沸騰を検知してから前記設定入力状態において前記表示部に表示された前記加熱時間が経過すると加熱を停止することを特徴とするものである。
【０００７】
これにより、沸騰後に任意の時間で調理を継続したい場合など、使用者の好みに応じた時間と火力レベルで調理を行うことができるので、使用者の好みに応じて煮物などの調理を行うことができる。
【発明の効果】
【０００８】
本発明の加熱調理器は、加熱時間と火力レベルの工程の設定を行うことができるため、使用者の好みに応じた時間と火力レベルで調理を行うことができるので、使用者の好みに応じて煮物などの調理を行うことができる。
【発明を実施するための最良の形態】
【０００９】
第１の発明は、本体と、前記本体天面に設け被加熱物を載置するトッププレートと、前記被加熱物を加熱する加熱部と、前記被加熱物の温度を検知するための温度検知手段と、前記加熱部に対応して設けられ、前記加熱部の火力を入力する火力アップキー及び火力ダウンキー、加熱時間を入力するタイマ時間設定キー、電源投入後加熱を行っていない状態である初期モードで押下されると使用者が前記加熱時間及び前記火力を設定するための設定入力状態に移行する加熱条件設定キー並びに加熱を開始する加熱入切キーを設けた操作部と、前記温度検知手段により沸騰を検知する沸騰検知手段と、前記設定入力状態において設定された前記加熱時間及び前記設定入力状態において設定された前記火力を表示する表示部と、を備え、前記設定入力状態において設定された前記加熱時間及び前記設定入力状態において設定された前記火力が前記表示部に表示された状態で前記加熱入切キーが押下されて加熱開始されると、沸騰を検知した後前記設定入力状態において前記表示部に表示された前記火力で加熱を継続しかつ沸騰を検知してから前記設定入力状態において前記表示部に表示された前記加熱時間が経過すると加熱を停止するものである。
【００１２】
これにより、沸騰検知後に任意の時間で調理を継続したい場合の時間設定や、設定時間に対する火力設定を任意に行うことができるので、使用者の好みに応じて煮物などの調理を行うことができる。
【００１５】
第２の発明は、特に第１の発明において、設定入力状態において表示部に表示された加熱時間及び前記設定入力状態において前記表示部に表示された火力を記憶する記憶手段と、操作部に設けられ、前記記憶手段に記憶された前記加熱時間及び前記記憶手段に記憶された火力を表示部に表示するためのレシピキーと、を備え、前記設定入力状態において前記表示部に表示された前記加熱時間及び前記設定入力状態において前記表示部に表示された火力を前記記憶手段に記憶すること並びに前記設定入力状態において前記表示部に表示された前記加熱時間及び前記設定入力状態において前記表示部に表示された火力を前記記
憶手段から消去することができるようにしたものである。
【００１６】
これにより、同じ調理を繰り返し行いたい場合は、記憶した内容を呼び出す事で使用者は、より簡単に調理を行うことができる。
【００１７】
第３の発明は、特に第２の発明において記憶手段は、設定入力状態において表示部に表示された加熱時間及び火力を複数組記憶できると共に、レシピキーを押下する毎に前記記憶手段に記憶した前記加熱時間及び前記火力を前記表示部に順次表示する構成とすることで、使用者は用途に応じた調理レシピを作成することができる。
【００２０】
以下、本発明の実施の形態について、図面を参照しながら説明する。なお、この実施の形態によって本発明が限定されるものではない。
【００２１】
（実施の形態１）
図１から図７は、本発明の第１の実施の形態における加熱調理器の平面図、および部分拡大図を示すものである（図中で同一構成のものは同一番号を付与する）。
【００２２】
図１において、調理器本体１はキッチンキャビネットのワークトップ２に上から落とし込んで組み込まれている。本体１の上面は結晶化ガラスを素材としたトッププレート３の周囲をプレート枠４で囲んで覆われている。また、図に示すようにトッププレート３には誘導加熱部５ａ、５ｂを配置し、トッププレート３を構成する部材内前部には誘導加熱部５ａ、５ｂに対応する誘導加熱操作部７、８が配されている。操作部７、８はトッププレート３に印刷された電極部を触れることで電気的容量が変化することに反応する静電容量検知式のタッチキーとし、天面に凹凸がないため手入れなどの取扱いがし易い平面接触式を実現している。なお、本実施の形態の操作部は静電容量検知式に限定するものではなく、タクト式などの押しボタン式操作部でも効果は同じものである。
【００２３】
誘導加熱部５ａ、５ｂに対応する本体内部には誘導加熱手段を構成する加熱コイル（図示せず）が配されている。また、被加熱物の鍋底の温度を検知するサーミスタあるいは赤外線センサ等の検知手段（図示せず）を被加熱物の鍋底近傍に有し、被加熱物の鍋底と検知手段との間にトッププレート３を介した構成である。前記温度検知手段を元にして、沸騰検知を行う。また、加熱コイルの電源回路である制御回路ユニット（図示せず）が加熱コイルの下方に配され、制御回路ユニット前方下の位置にそれぞれ冷却ファン（図示せず）を配置し、その下方の本体１奥行きには吸気口（図示せず）がある。
【００２４】
また、前記制御回路ユニットには、加熱条件設定のための記憶手段としてＥＥＰＲＯＭ等の記憶手段（図示せず）および加熱調理器の動作を制御するマイコンを有し、前記マイコンにより動作を実現している。
【００２５】
また、誘導加熱部５ａ、５ｂに対応する操作部は、図２に示すように、例えば、左加熱部に関して通電するための加熱入切キー７ａの他、加熱部の火力を調節するための火力アップキー７ｂおよび火力ダウンキー７ｃや、調理時間を設定するためのタイマ時間設定キー、分設定キー、またオート調理キー等を配置する。さらに、加熱時間と火力の設定を可能とする加熱条件設定キー７ｅと設定された加熱条件を記憶したＥＥＰＲＯＭ等の記憶手段から加熱時間と火力の加熱条件を呼び出すためのキー（以下、レシピキー７ｆとする）を配置する構成とする。表示部７ｄはＬＣＤにより入力状態やタイマ時間、設定火力、設定温度などを表示するものである。また、揚げ物調理のように温度を入力する場合には、火力アップキー７ｂおよび火力ダウンキー７ｃにて、温度の設定値を設定するものとする。右誘導加熱においても同様の構成とする。
【００２６】
また、表示部にはＬＣＤ表示内容が視認しやすいようバックライトを設けてあり、電源スイッチの入り切りに連動して、加熱コイルに対応した表示部のＬＣＤバックライトが点灯および消灯する。
【００２７】
以上のように構成された誘導加熱調理器について、以下その動作、作用を図３から図７により説明する。
【００２８】
まず、調理内容として煮物を行うためにトッププレート上に材料を投入した鍋を配置しておく。誘導加熱部の５ａに対し加熱時間と火力レベルの加熱条件の設定を行うために、加熱への通電を行っていない状態（以下、初期モードと称する）において、加熱条件設定キー７ｅを押下すると、図３に示すように設定入力状態に移行するので、表示部７ｄには、設定待ち状態を表示する。設定入力確定までは、表示部７ｄの時間ピクトは点滅表示し、タイマ設定キーで時間を入力（ここでは５分）し、設定時間が確定すると時間ピクトは点灯表示し、次いでその時の火力を設定するための火力ピクトが点滅表示し、火力アップキー７ｂあるいは火力ダウンキー７ｃで火力を入力（ここでは火力７）し、加熱開始待ち状態となる。ここでは、図３に示すような設定を行うとする。加熱条件設定後、加熱入切キー７ａを押下すると加熱を開始し、沸騰を検知すると、図４に示すように予め設定した沸騰検知後の加熱時間およびそのときの火力で加熱を継続する。表示部７ｄには、現在の工程と残時間および現在の火力を表示し、時間経過とともに表示時間はカウントダウンを行い、設定時間に応じた火力を表示する。全ての工程を終了し、調理を終了した際には、報知または表示手段で使用者に知らせる。また、図５に示すように、前述と同様の操作を行い、加熱条件設定（ここでは時間８分、火力５とする）後、加熱条件設定キー７ｅを、任意時間（例えば２秒）押下すると、ＥＥＰＲＯＭ等の記憶手段にて設定値をレシピ１として記憶し、レシピ１を表すピクトを表示部７ｄに表示する。この状態で、加熱入切キー７ａを押下すると図６に示すように調理沸騰検知後、設定した加熱条件であるレシピ１の
内容で加熱工程を継続する。また、電源投入後の初期状態において記憶した設定工程を呼び出す場合には、レシピキー７ｆを押下する毎に、レシピ１、レシピ２というように順番に記憶された沸騰検知後の加熱条件を図５の最下図のように順次表示部７ｄに表示し、加熱移行入力待ちとなる。行いたいレシピ番号が表示されている際に、加熱入切キー７ａを押下すると現在表示されているレシピ番号の加熱条件で加熱を開始する。レシピ番号の設定内容を再確認したい場合には、確認したいレシピ番号表示時に加熱条件設定キー７ｅを押下すると、内容（時間と火力）を確認できるものとする。また、記憶したレシピを消去したい場合には、消去したいレシピ番号表示の時に、取消キーを任意時間（例えば２秒）押下すると、消去することができるものとする。
【００２９】
また、揚げ物や炒め物の調理のように温度管理を要する調理を行う場合には、図７に示すように、上記同様の構成の内、火力設定の代わりに、火力アップキー７ｂおよび火力ダウンキー７ｃにて、温度の設定値を任意に変更設定する。設定後、任意の温度（例えば２００度）で加熱を開始し、温度到達後に図７下図のように設定した調理時間（５分）と温度（１８０度）を表示し、所定時間１８０度で加熱を継続する。経過時間終了後、加熱を停止する。
【００３０】
このように、沸騰検知後の加熱時間と火力レベルまた加熱時間と温度を加熱条件設定手段として任意に設定できるようにすることで、沸騰後の煮物の煮込み調理や揚げ物、炒め物などの調理において、任意時間と任意火力あるいは温度によって調理を継続したい場合には、使用者の好みに応じた時間に対する火力レベルで調理を可能にすることができる。
【００３１】
また、同じ調理設定を繰り返し行いたい場合には、記憶手段により記憶した内容を呼び出す事で使用者は、より簡単に調理を行うことができ、また、使用者は用途に応じた調理レシピを作成することができる。
【産業上の利用可能性】
【００３２】
以上のように、本発明にかかる加熱調理器は、沸騰検知後の加熱時間と火力レベルを設定できるため、沸騰後の煮物の煮込み調理や揚げ物、炒め物などの調理のように、任意時間と任意火力または任意温度によって調理を継続したい場合には、使用者の好みに応じた加熱条件で調理を可能にすることができるとともに、同じ調理設定を繰り返し行いたい場合には、記憶手段により記憶した内容を呼び出す事で使用者より簡単に調理を行うことができ、また、使用者は用途に応じた調理レシピを作成することができるので、組み込み式の加熱調理器等に適用できる。
【図面の簡単な説明】
【００３３】
【図１】本発明の実施の形態１における加熱調理器の平面図
【図２】本発明の実施の形態１における加熱調理器の部分拡大図
【図３】本発明の実施の形態１における加熱調理器の部分拡大図
【図４】本発明の実施の形態１における加熱調理器の部分拡大図
【図５】本発明の実施の形態１における加熱調理器の部分拡大図
【図６】本発明の実施の形態１における加熱調理器の部分拡大図
【図７】本発明の実施の形態１における加熱調理器の部分拡大図
【図８】従来例における加熱調理器の平面図
【符号の説明】
【００３４】
１  本体
３  トッププレート
５ａ、５ｂ  加熱部
７、８  操作部
７ｄ  表示部
【図１】
0004879564.tif 000002
【図２】
0004879564.tif 000003
【図３】
0004879564.tif 000004
【図４】
0004879564.tif 000005
【図５】
0004879564.tif 000006
【図６】
0004879564.tif 000007
【図７】
0004879564.tif 000008
【図８】
0004879564.tif 000009